(57)【要約】  【課題】内蔵された複数のカード機能を分かり易く表示することができるマルチアプリＩＣカードを提供する。  【解決手段】複数のカード機能を有するＩＣカード１０が、各カードの券面の画像２１、２２を表示するための券面データを保持するように構成している。この券面データを用いて、ＩＣカード１０のカード機能のそれぞれを表すカードの券面の画像２１、２２を表示することができ、ユーザは、この券面画像２１、２２からＩＣカード１０に内蔵されたカード機能の種類を直感的に把握することができる。  【選択図】図１
2005099908.tif 000002
【特許請求の範囲】
【請求項１】
任意のカードに関する処理を行うためのカード情報を格納するカード情報格納手段と、
前記カード情報に対応した前記カードの券面の画像を表示するための券面データを格納する券面データ格納手段と
を備えたことを特徴とする情報記憶装置。
【請求項２】
前記券面データ格納手段は、券面データとして、カードの表面の画像を表示するための表面データを保持することを特徴とする請求項１に記載の情報記憶装置。
【請求項３】
前記券面データ格納手段は、券面データとして、カードの裏面の画像を表示するための裏面データを保持することを特徴とする請求項２に記載の情報記憶装置。
【請求項４】
前記券面データとともに、サウンドのデータを保持することを特徴とする請求項１に記載の情報記憶装置。
【請求項５】
前記券面データとともに、デフォルメ画像のデータを保持することを特徴とする請求項１に記載の情報記憶装置。
【請求項６】
前記券面データを用いて券面の画像を表示する表示手段を備えることを特徴とする請求項１または請求項２に記載の情報記憶装置。
【請求項７】
前記表面データを用いてカードの表面の画像を表示する第１の表示手段と、前記裏面データを用いてカードの裏面の画像を表示する第２の表示手段とを備えることを特徴とする請求項３に記載の情報記憶装置。
【請求項８】
前記券面データを用いて券面の画像を表示する表示手段を備え、前記表示手段は、カードの表面の画像の次に裏面の画像を、または、裏面の画像の次に表面の画像を表示することを特徴とする請求項３に記載の情報記憶装置。
【請求項９】
任意のカードに関する処理を行うためのカード情報と、前記カード情報に対応した前記カードの券面の画像を表示するための券面データとを保持する情報記憶装置にアクセスして前記券面データを読み出す情報処理装置であって、
前記情報記憶装置から読み出した券面データを基に画像を表示する表示手段と、
券面画像の表示指示を受け付ける表示指示受付手段と、
表示指示受付手段で受け付けた表示指示に基づいて前記券面データの読み出しと前記表示手段の画像表示とを制御する制御手段と
を備えることを特徴とする情報処理装置。
【請求項１０】
前記情報記憶装置は、券面データとして、カードの表面の画像を表示するための表面データとカードの裏面の画像を表示するための裏面データとを保持し、前記表示手段として、前記表面データを用いて表面の画像を表示する第１の表示手段と、前記裏面データを用いて裏面の画像を表示する第２の表示手段とを備えることを特徴とする請求項９に記載の情報処理装置。
【請求項１１】
前記情報記憶装置は、券面データとして、カードの表面の画像を表示するための表面データとカードの裏面の画像を表示するための裏面データとを保持し、前記表示手段は、表面の画像の次に裏面の画像を、または、裏面の画像の次に表面の画像を表示することを特徴とする請求項９に記載の情報処理装置。
【請求項１２】
前記情報記憶装置から読み出した券面データを前記表示手段の画面サイズまたは表示解像度に応じて加工する表示データ加工手段を備えることを特徴とする請求項９に記載の情報処理装置。
【請求項１３】
前記券面データの他にデフォルメ画像のデータを保持する前記情報記憶装置から、先に前記デフォルメ画像のデータを読み出して前記表示手段にデフォルメ画像を表示し、次いで、前記券面データを読み出して前記表示手段に券面の画像を表示することを特徴とする請求項９に記載の情報処理装置。
【請求項１４】
前記表示手段の画面サイズまたは表示解像度に基づいて、情報処理装置で表示する表示内容を選択する表示データ選択手段を備え、前記券面データの他にデフォルメ画像のデータを保持する前記情報記憶装置から、前記表示データ選択手段が選択したデータを読み出して表示することを特徴とする請求項９に記載の情報処理装置。
【請求項１５】
前記情報記憶装置が、前記券面データの他に、デフォルメ画像のデータとサウンドのデータとを保持し、前記表示データ選択手段が、券面データ、デフォルメ画像のデータ及びサウンドのデータの中から、情報処理装置で表示する表示内容を選択することを特徴とする請求項１４に記載の情報処理装置。
【請求項１６】
前記情報記憶装置から全ての券面データを読み出して記憶領域に保持し、前記記憶領域から読み出した券面データを用いて前記表示手段に券面の画像を表示し、前記記憶領域の券面データを、定期的に前記情報記憶装置から読み出した券面データで更新することを特徴とする請求項９に記載の情報処理装置。
【請求項１７】
前記表示指示受付手段は、情報処理装置が振られたことを検知して、表示指示として受け付けることを特徴とする請求項９に記載の情報処理装置。
【請求項１８】
前記制御手段は、情報処理装置が振られたことを検知した前記表示指示受付手段の検知情報と、情報処理装置の状態とに基づいて、前記表示手段の画像表示を制御することを特徴とする請求項９に記載の情報処理装置。
【請求項１９】
前記制御手段は、情報処理装置が振られた方向を検知した前記表示指示受付手段の検知方向に基づいて、前記表示手段の画像表示を制御することを特徴とする請求項９に記載の情報処理装置。
【請求項２０】
前記制御手段は、前記表示手段が券面の画像を表示してから一定時間が経過しても表示指示受付手段が次の表示指示を検知しないとき、情報処理装置を券面データの表示前の状態に戻すように制御することを特徴とする請求項９に記載の情報処理装置。
【請求項２１】
前記制御手段は、情報処理装置が振られたことを検知した前記表示指示受付手段の検知情報に基づいて前記情報記憶装置への電源供給の開始を制御することを特徴とする請求項９に記載の情報処理装置。
【発明の詳細な説明】
【技術分野】
【０００１】
本発明は、ＩＣカード等の情報記憶装置と、それを使用する携帯電話やＰＤＡ等の情報処理装置に関し、カード機能を有する情報記憶装置の利便性の向上を図るものである。
【背景技術】
【０００２】
現代社会は、カード社会と言われ、クレジットカードやキャッシュカード、ポイントカード、定期券、ＩＣテレフォンカード等、各種の磁気カードやＩＣカードが広く普及しており、何枚ものカードを所有する人が少なくない。
これらのカードの券面には、そのカード特有の意匠が施されており、また、カード所有者の氏名やカードの有効期限等、重要なデータが記載されている。そのため、券面を見るだけでカードの種類が分かり、券面に表示された情報からカード所有者の権利を確認することができる。また、カードの裏面には、カード使用時の注意書きや、クレジットカードでは本人確認用の本人自筆署名、ポイントカードなどでは会員識別番号を示すバーコード情報などが記載されている。
磁気カードの情報は、磁気読み取り装置で読み取られ、ＩＣカードの情報は、リーダ・ライタで読み取られる。ＩＣカードには、リーダ・ライタとの情報交換を非接触通信で行うものと、接触通信で行うものとが有り、下記特許文献１には、接触通信及び非接触通信の両方が可能なＩＣカードを携帯通信装置に装着し、ＩＣカードと外部装置との間では非接触通信で記録情報の読み書きを行い、また、ＩＣカードと携帯通信装置との間では接触通信でそれを行う構成が記載されている。
【０００３】
また、近年、一枚のＩＣカードに複数のカード機能を搭載して、例えば、キャッシュカードにも、定期券にも利用できる多機能型のカード（マルチアプリＩＣカード）が開発されている。ユーザは、このマルチアプリＩＣカードがあれば、何枚ものカードを持ち歩く必要が無くなる。
【０００４】
また、本発明に関係する技術として、下記非特許文献１には、“「振る」だけでパソコン操作できるリモコン”が記載されている。このリモコンは、ジャイロスコープを内蔵し、上に向かって振ることで、テレビやＤＶＤプレーヤの機能を持つパソコンのボリュームを高めたり、画面をズームアップしたりすることができる。
【特許文献１】特開２００２−３４５０３７号公報
【非特許文献１】{ HYPERLINK "http://www.hotwired.co.jp/news/news/technology/story/20030623302.html"  ,http://www.hotwired.co.jp/news/news/technology/story/20030623302.html}    「『振る』だけでパソコン操作できるリモコン」
【発明の開示】
【発明が解決しようとする課題】
【０００５】
しかし、通常のカードは、手の上で、あるいは財布内で、その複数枚を広げれば、利用可能なサービスが、それらの券面から一目で分かるが、マルチアプリＩＣカードの場合は、カードの実体が一つであり、券面も一つであるため、その券面を一瞥しただけでは、内部にどんなサービス機能が格納され、どのようなサービスが利用可能であるかが分かりにくい、と言う不便がある。
マルチアプリＩＣカード内に格納したサービスを閲覧する場合は、例えば、図１９に示すように、リーダ・ライタの画面にカードのサービスメニューを表示する、と言った方式が考えられるが、この方式では、リーダ・ライタを使ってマルチアプリＩＣカードの情報を読み出す操作や、リーダ・ライタのメニュー画面上での必要な操作等、煩雑な操作が要求される。
【０００６】
マルチアプリＩＣカードの券面に文字や記号を印字して、利用可能なサービスを全て表示する方法も考えられるが、この場合は、多数のサービスを表す文字や記号が狭い領域に表示されるため、ユーザにとって見難いものとなる。また、自社のマークやカードの意匠にこだわりを持つサービス提供者は、個別カードと異なる形態でマークや意匠がマルチアプリＩＣカードに表示されることを嫌う傾向があり、それがマルチアプリＩＣカードへの加入、つまりマルチアプリＩＣカードの採用とアプリ搭載に二の足を踏む原因にもなっている。また、券面への印字方式は、マルチアプリＩＣカードへのサービスの追加や変更に対して、柔軟に対応することができない。また、券面にサービス名等を表示したとしても、実行するサービスを選択する際の煩雑な操作は避けられない。
【０００７】
本発明は、こうした従来の問題点を解決するものであり、内蔵されたカード機能を分かり易く表示することができる情報記憶装置を提供し、また、その情報記憶装置から情報を取得して、情報記憶装置が内蔵するカード機能を分かり易く表示する情報処理装置を提供することを目的としている。
【課題を解決するための手段】
【０００８】
本発明では、情報記憶装置に、任意のカードに関する処理を行うためのカード情報（カードアプリケーション、カード磁気情報など）を格納するカード情報格納手段と、カード情報に対応したカードの券面の画像を表示するための券面データを格納する券面データ格納手段とを設けている。
この券面データを用いて、情報記憶装置のカード機能を表すカードの券面の画像を表示することができ、この券面画像から情報記憶装置に内蔵されたカード機能を直感的に把握することができる。
【０００９】
また、本発明の情報記憶装置の券面データ格納手段は、券面データとして、カードの表面の画像を表示するための表面データを保持するように構成している。
この券面データを用いて、カードの表面の画像を表示することができる。
【００１０】
また、本発明の情報記憶装置の券面データ格納手段は、券面データとして、さらに、カードの裏面の画像を表示するための裏面データを保持するように構成している。
この裏面データと表面データとを用いて、カードの表面及び裏面の画像を表示することができる。
【００１１】
また、本発明の情報記憶装置は、券面データとともに、サウンドのデータを保持しても良い。
この情報記憶装置では、カードのサービスを実施する事業体の象徴的なサウンドを、券面データとともに、あるいは、単独で表示することができる。
【００１２】
また、本発明の情報記憶装置は、券面データとともに、デフォルメ画像のデータを保持している。
この情報記憶装置では、カードのサービスを実施する事業体のブランドマーク等のデフォルメ画像を、券面データとともに、あるいは、単独で表示することができる。
【００１３】
また、本発明の情報記憶装置には、券面データを用いて券面の画像を表示する表示手段を設けている。
この情報記憶装置を単体で使用する場合に、情報記憶装置のカード機能を表す券面の画像を、この表示手段に表示することができる。
【００１４】
また、本発明の情報記憶装置には、表面データを用いてカードの表面の画像を表示する第１の表示手段と、裏面データを用いてカードの裏面の画像を表示する第２の表示手段とを設けている。
そのため、情報記憶装置に、カードの表面と裏面とを実際のカードと同じように表示させることができる。
【００１５】
また、本発明の情報記憶装置には、券面データを用いて券面の画像を表示する表示手段を設け、この表示手段が、カードの表面の画像の次に裏面の画像を、または、裏面の画像の次に表面の画像を表示するように構成している。
そのため、表示手段にカードの表面と裏面とを順次表示させることができる。
【００１６】
また、本発明では、任意のカードに関する処理を行うためのカード情報と、カード情報に対応したカードの券面の画像を表示するための券面データとを保持する情報記憶装置にアクセスして券面データを読み出す情報処理装置に、情報記憶装置から読み出した券面データを基に画像を表示する表示手段と、券面画像の表示指示を受け付ける表示指示受付手段と、表示指示受付手段で受け付けた表示指示に基づいて券面データの読み出しと表示手段の画像表示とを制御する制御手段とを設けている。
この情報処理装置は、装着や埋設した情報記憶装置、あるいは、接触通信や非接触通信でアクセスした情報記憶装置から券面データを読み出し、この情報記憶装置に内蔵されたカード機能を表すカード券面画像を表示することができ、ユーザは、この券面画像から情報記憶装置のカード機能を直感的に把握することができる。
【００１７】
また、本発明では、情報記憶装置が、券面データとして、カードの表面の画像を表示するための表面データとカードの裏面の画像を表示するための裏面データとを格納し、情報処理装置に、表示手段として、表面データを用いて表面の画像を表示する第１の表示手段と、裏面データを用いて裏面の画像を表示する第２の表示手段とを設けている。
そのため、カードの表面及び裏面の券面画像を表示することができる。
【００１８】
また、本発明では、情報記憶装置が、券面データとして、カードの表面の画像を表示するための表面データとカードの裏面を表示するための裏面データとを格納し、情報処理装置の表示手段が、表面の画像の次に裏面の画像を、または裏面の画像の次に表面の画像を表示するように構成している。
そのため、一つの表示手段を用いて、カードの表面及び裏面の券面画像を交互に表示することができる。
【００１９】
また、本発明の情報処理装置には、情報記憶装置から読み出した券面データを表示手段の画面サイズまたは表示解像度に応じて加工する表示データ加工手段を設けている。
そのため、表示手段に合わせて加工した券面データを用いて、表示手段に券面画像を表示することができる。さらに、券面データのサイズにかかわらず、券面画像を実物大で表示することも可能となり、本発明の情報処理装置があたかも実物の単体サービスのカードであるかのように直感的に把握することができる。
【００２０】
また、本発明の情報処理装置は、券面データの他にデフォルメ画像のデータを保持する情報記憶装置から、先にデフォルメ画像のデータを読み出して表示手段にデフォルメ画像を表示し、次いで、券面データを読み出して表示手段に券面の画像を表示するようにしている。
そのため、データ量が多く、セキュアに守られているために読み出しに時間が掛かる券面画像の表示を開始するまでの間、読み出しに時間が掛からないデフォルメ画像が表示される。
【００２１】
また、本発明の情報処理装置は、表示手段の画面サイズまたは表示解像度に基づいて情報処理装置で表示する表示内容を選択する表示データ選択手段を備えており、券面データの他にデフォルメ画像のデータを保持する情報記憶装置から、表示データ選択手段が選択したデータを読み出して表示する。
この情報処理装置では、表示手段の画面サイズや解像度に応じて、券面画像またはデフォルメ画像を選択して表示する。
【００２２】
また、本発明の情報処理装置は、券面データの他に、デフォルメ画像のデータとサウンドのデータとを保持する情報記憶装置から、表示データ選択手段が選択した券面データ、デフォルメ画像のデータまたはサウンドのデータを用いて表示を行うようにしている。
そのため、この情報処理装置には、券面の画像以外に、カードのサービスを実施する事業体のブランドマーク等のデフォルメ画像や、事業体の象徴的なサウンドが表示される。
【００２３】
また、本発明の情報処理装置は、情報記憶装置から全ての券面データを読み出して記憶領域に保持し、この記憶領域から読み出した券面データを用いて表示手段に券面の画像を表示し、記憶領域の券面データを、定期的に情報記憶装置から読み出した券面データで更新するようにしている。
そのため、表示手段での券面画像の表示を迅速化できる。また、記憶領域の券面データを更新することにより、通常の記憶領域で保持する券面データの改ざんに対抗することができる。
【００２４】
また、本発明の情報処理装置の表示指示受付手段は、情報処理装置が振られたことを検知して、表示指示として受け付ける。
そのため、ユーザは、情報処理装置を振って、券面画像を表示させ、また、その券面画像を更新することができる。
【００２５】
また、本発明の情報処理装置の制御手段は、情報処理装置が振られたことを検知した表示指示受付手段の検知情報と、情報処理装置の状態とに基づいて、表示手段の画像表示を制御する。
そのため、例えば、情報処理装置が待ち受け状態のときに、券面画像の表示が可能になる。
【００２６】
また、本発明の情報処理装置の制御手段は、情報処理装置が振られた方向を検知した表示指示受付手段の検知方向に基づいて、表示手段の画像表示を制御する。
そのため、例えば、情報処理装置を横に振れば券面画像が順次表示され、情報処理装置を縦に振れば、券面画像の表示が終了する。
【００２７】
また、本発明の情報処理装置の制御手段は、表示手段が券面の画像を表示してから一定時間が経過しても表示指示受付手段が次の表示指示を検知しないとき、情報処理装置を券面データの表示前の状態に戻すように制御する。
そのため、表示指示が行われないまま一定時間が経過すると、元の状態に復帰する。
【００２８】
また、本発明の情報処理装置の制御手段は、情報処理装置が振られたことを検知した表示指示受付手段の検知情報に基づいて情報記憶装置への電源供給の開始を制御する。
そのため、情報処理装置が振られると、情報記憶装置への電源供給が開始され、無駄な電力消費が抑えられる。
【発明の効果】
【００２９】
本発明の情報記憶装置は、内蔵するカード機能をカードの券面の画像によって表示することができ、ユーザは、この券面画像から情報記憶装置に内蔵されたカード機能を直感的に把握することができる。
また、本発明の情報処理装置は、この情報記憶装置から券面データを読み出して、この情報記憶装置が内蔵するカード機能を表すカード券面画像を表示することができる。そのため、ユーザは、この券面画像から情報記憶装置に内蔵されたカード機能を直感的に把握することができる。
【発明を実施するための最良の形態】
【００３０】
（第１の実施形態）
本発明の第１の実施形態における情報記憶装置（「セキュアデバイス」と呼ぶ）は、内蔵しているカード機能のそれぞれに対応する個別カードの券面イメージデータを保持するとともに、この券面イメージを表示する表示手段を備えている。ユーザが、例えば、このセキュアデバイスを横に振ると、券面イメージが表示手段に順に表示され、ユーザは、この券面イメージを見て、セキュアデバイスに内蔵されたカード機能の種類を知ることができる。
【００３１】
図１は、このセキュアデバイス１０を横に振ったときに、セキュアデバイス１０の表示画面１１に券面２１、２２が順に表示される様子を模式的に示している。
このセキュアデバイス１０は、図２に示すように、カード機能を実行するカードアプリケーション（「ＩＣカードアプリ」と呼ぶ）３７１が格納された、秘匿領域に設けられているカードアプリ格納手段３７と、ＩＣカードアプリ３７１が実行するカード機能の各々に対応する個別カードの券面イメージのデータ（「券面データ」と呼ぶ）３６１が格納された、秘匿領域に設けられている券面データ格納手段３６と、秘匿領域へのアクセスを管理するセキュアデバイス管理手段３５と、券面イメージの表示指示を受け付ける表示指示受付手段３２と、券面イメージを表示する表示手段３１と、券面データ３６１を読み出す券面データ読み出し手段３４と、券面表示動作を制御する制御手段３３とを備えている。
なお、このセキュアデバイス１０は、券面イメージの表示用電源を内蔵しているが、ここでは図示を省略している。電源供給に関しては第７の実施形態で詳述する。
【００３２】
また、セキュアデバイス管理手段３５は、認証の成功を条件に秘匿領域へのアクセスを許容する。例えば、表示手段３１にキャッシュカードが表示されたセキュアデバイス１０をＰＯＳ端末に「かざす」と、キャッシュカードのカード機能を実行するＩＣカードアプリ３７１は、非接触通信でＰＯＳ端末から送られて来るコマンドに従って決裁処理を実施するが、その実施に先立って、ＩＣカードアプリ３７１は、ＰＯＳ端末との相互認証を行い、セキュアデバイス管理手段３５は、端末が認証済みであることを確認して、そのコマンドをＩＣカードアプリ３７１に渡す。また、プライバシー保護の観点から、セキュアデバイス１０の所有者は、券面イメージの表示指示を操作する前に、カードに付属するボタンやリーダ・ライタからＰＩＮ（Personal Identification Number）を入力してセキュアデバイス１０の認証を受ける。セキュアデバイス管理手段３５は、この認証に成功したことを条件に券面データ３６１の読み出しを許容する。または、券面データの不正書き換えなどに対する保護の観点から、券面データの初期設定時などの書き込み時には認証を行うが、読み出しは認証が不要としても良い。
【００３３】
ＰＩＮを入力した所有者は、セキュアデバイス１０を振ることにより（あるいはボタン操作で）、券面イメージの表示を指示する。これを検知した表示指示受付手段３２は、制御手段３３に券面イメージの表示指示を伝え、制御手段３３は、券面データ読み出し手段３４に券面データの読み出しを指示する。券面データ読み出し手段３４は、１番目の券面データ３６１を読み出すため、セキュアデバイス管理手段３５を通じて、その券面データの格納場所を知るＩＣカードアプリ３７１に、１番目の券面データ３６１の読み出しを求める。セキュアデバイス管理手段３５は、ＰＩＮによる本人確認が成功した場合に、券面データ読み出し手段３４の要求をそのＩＣカードアプリ３７１に伝え、券面データ３６１が読み出される。
【００３４】
制御手段３３は、読み出された券面データを表示手段３１に送り、表示手段３１は、その券面データに基づいて券面イメージを表示する。
所有者がセキュアデバイス１０を更に振ると、同様の手順で、券面データ読み出し手段３４が２番目の券面データ３６１を読み出し、表示手段３１に２番目の券面イメージが表示される。こうして、所有者がセキュアデバイス１０を振るごとに、券面データ格納手段３６の券面データ３６１が次々と読み出され、表示手段３１に、その券面イメージが表示される。
【００３５】
また、図３は、個々のカードの保持データ、たとえば磁気カードであれば磁気データ（所有者氏名、有効期限、クレジット番号等）に相当する情報（カード磁気情報と呼ぶ）を格納するカード磁気情報３８１のファイルと、その券面データ３６１のファイルとを関連付けて保持するセキュアデバイス１０の構成を示している。このセキュアデバイス１０のファイル構造は、カードアプリ単位で設定したＤＦ（Dedicated File）と、その配下に設定したＥＦ（Elementary File）とを有しており、カード磁気情報３８１及び券面データ３６１は、ＥＦとして格納される。各ＥＦには、ＤＦからのパスを辿ってアクセスすることができる。
また、このセキュアデバイス１０は、各券面データ３６１へのパスを管理するデータ格納パス管理手段３０を有している。
【００３６】
このセキュアデバイス１０では、ＰＩＮを入力した所有者が券面イメージの表示を指示すると、表示指示受付手段３２が制御手段３３にそれを伝え、制御手段３３が券面データ読み出し手段３４に券面データの読み出しを指示する。
券面データ読み出し手段３４は、データ格納パス管理手段３０で管理されている１番目の券面データ３６１へのパスを取得し、これを示して１番目の券面データ３６１の読み出しをセキュアデバイス管理手段３５に求める。セキュアデバイス管理手段３５は、ＰＩＮによる本人確認に成功した場合は、券面データ格納手段３６から、指定された券面データ３６１を読み出す。制御手段３３は、読み出された券面データを表示手段３１に送り、表示手段３１は、その券面データに基づいて券面イメージを表示する。
こうして、所有者がセキュアデバイス１０を振るごとに（あるいは、ボタン操作をするごとに）、券面データ格納手段３６の券面データ３６１が次々と読み出され、その券面イメージが表示手段３１に表示される。
従って、所有者は、表示手段３１に表示された券面イメージから、このセキュアデバイス１０のカード機能を直感的に把握することができる。
【００３７】
なお、セキュアデバイス１０が振られたかどうかは、前記非特許文献１に記載されているジャイロスコープや、加速度センサ等を用いて検知することができる。また、検知の方向を適宜設定して、券面表示の更新時にセキュアデバイスを動かす方向を規定することができる。
また、ここでは、セキュアデバイスを振る動作について説明したが、それ以外の所有者のアクション、例えば、セキュアデバイスを指先で叩いたり、表示画面に触れたりする動作、に応じて券面を表示し、それを更新するようにしてもよい。
【００３８】
（第２の実施形態）
本発明の第２の実施形態では、セキュアデバイスを装着した携帯端末を操作して、そのセキュアデバイスが内蔵しているカード機能の券面イメージを携帯端末の画面に表示する構成について説明する。
この携帯端末は、携帯電話やＰＤＡ、ＰＨＳ等であり、図４に示すように、この端末６０は、券面イメージの表示指示を受け付ける表示指示受付手段６２と、券面イメージを表示する表示手段６１と、セキュアデバイス１０へのアクセスを管理するセキュアデバイス管理手段３５と、セキュアデバイス１０から券面データ３６１を読み出す券面データ読み出し手段６４と、券面表示動作を制御する制御手段６３とを備えている。ここに示したセキュアデバイス１０は、ＩＣカードアプリ３７１が券面データの所在を管理する型式のものであり、ＩＣカードアプリ３７１を格納するカードアプリ格納手段３７と、券面データ３６１を格納する券面データ格納手段３６とを有している。
【００３９】
携帯端末６０は、セキュアデバイス１０と接触通信を行い、また、セキュアデバイス１０に対して必要な電源を供給する。
セキュアデバイス１０の所有者は、携帯端末６０のキーを操作してＰＩＮを入力した後、携帯端末６０を振ったり、携帯端末６０のキーを操作したりして、券面イメージの表示を指示する。これを検知した表示指示受付手段６２は、制御手段６３に券面イメージの表示指示を伝え、制御手段６３は、券面データ読み出し手段６４に券面データの読み出しを指示する。券面データ読み出し手段６４は、１番目の券面データ３６１を読み出すため、セキュアデバイス管理手段６５を通じて、セキュアデバイス１０にコマンドを送り、その券面データの格納場所を知るＩＣカードアプリ３７１に、１番目の券面データ３６１の読み出しを求める。セキュアデバイス管理手段６５は、ＰＩＮによる本人確認が成功した場合に、券面データ読み出し手段３４のコマンドをそのＩＣカードアプリ３７１に送り、券面データ３６１がセキュアデバイス１０から読み出される。
制御手段６３は、読み出された券面データを表示手段６１に送り、携帯端末６０の表示手段６１に券面イメージが表示される。
こうして、所有者が券面イメージの表示指示を繰り返すことにより、セキュアデバイス１０に内蔵されたカード機能に対応する券面イメージが携帯端末６０の画面に順次表示される。
【００４０】
また、図５には、ＤＦ及びＥＦのファイル構造によりカード磁気情報３８１と券面データ３６１とを格納しているセキュアデバイス１０と、それを装着した携帯端末６０との構成を示している。この携帯端末６０は、各券面データ３６１へのパスを管理するデータ格納パス管理手段６６を有している。データ格納パス管理手段６６は、セキュアデバイス１０が装着されたとき、セキュアデバイス管理手段６５を通じて、セキュアデバイス１０にアクセスし、全ての券面データ３６１へのパス情報を取得して格納する。
この携帯端末６０では、券面データの読み出し指示を受けた券面データ読み出し手段６４が、データ格納パス管理手段６６で管理されている券面データ３６１へのパスを取得し、これを示して券面データ３６１の読み出しをセキュアデバイス管理手段６５に求める。セキュアデバイス管理手段６５は、ＰＩＮによる本人確認に成功した場合には、そのパスにより、指定された券面データ３６１を読み出す。
その他の動作は、図４の場合と同じである。
このように、この携帯端末６０の画面には、所有者の表示指示に応じて、セキュアデバイス１０に格納されたカード機能の券面イメージが順次表示される。従って、所有者は、その表示から、セキュアデバイス１０のカード機能を直感的に把握することができる。
【００４１】
なお、ここでは、端末が携帯端末である場合について説明したが、パーソナルコンピュータ等の情報処理端末でも良く、また、セキュアデバイスに対して決算処理等を指令するＰＯＳ端末やクレジット端末などであっても良い。ただ、それらの場合は、表示指示を端末からのキー操作で行うことになる。
【００４２】
（第３の実施形態）
本発明の第３の実施形態では、セキュアデバイスが内蔵するカード機能を、個別カードの券面及び裏面のイメージで表示する構成について説明する。
図６に示すように、セキュアデバイス１０は、券面データ３６１を格納した券面データ格納手段３６と、裏面データ３９１を格納した裏面データ格納手段３９とを具備しており、ＩＣカードアプリ３７１は、該当するカード機能の券面データ３６１及び裏面データ３９１の所在を管理する。一方、端末６０は、裏面データ３９１を読み出す裏面データ読み出し手段６７を備えている。その他の構成は、図４と変わりがない。
【００４３】
セキュアデバイス１０に格納された裏面データ３９１の読み出しは、券面データ３６１の場合と同様に行われ、端末６０の表示手段６１には、券面のイメージと裏面のイメージとが切替え表示され、あるいは、それらが画面に並べて表示される。
また、図７は、セキュアデバイス１０が、ＤＦ及びＥＦのファイル構造によりカード磁気情報３８１と券面データ３６１とを格納している場合のセキュアデバイス１０及び端末６０の構成を示している。券面及び裏面のイメージの表示態様は図６の場合と同様である。
【００４４】
また、図８及び図９には、裏面のイメージを表示するための裏面データ表示手段６８を別に持つ端末６０の構成を示している。この端末６０では、セキュアデバイス１０から読み出した券面データ３６１が表示手段６１に送られて、券面のイメージが表示手段６１に表示され、また、セキュアデバイス１０から読み出した裏面データ３９１が裏面データ表示手段６８に送られて、裏面のイメージが裏面データ表示手段６８に表示される。
このように、セキュアデバイス１０に内蔵されたカード機能を、カードの券面及び裏面の対で表示することにより、セキュアデバイス１０がどのカードとして利用可能であるかが、極めて分かり易い。
【００４５】
なお、ここでは、セキュアデバイスを装着した端末の表示手段に券面イメージと裏面イメージとを表示する場合について説明したが、第１の実施形態におけるセキュアデバイスの表示手段３１に券面イメージと裏面イメージとを切り換えて表示しても良く、また、セキュアデバイスの両面にそれぞれ表示手段を設けて、その一方に券面イメージを表示し、他方に裏面イメージを表示するようにしても良い。
【００４６】
（第４の実施形態）
本発明の第４の実施形態では、セキュアデバイスのカード機能を分かり易く表示するための改良について説明する。
（１）券面データの加工
セキュアデバイスを端末に装着して、端末の表示画面に券面イメージを表示する場合は、端末の表示解像度を考慮して券面データを加工し、端末の画面上で実物の券面の大きさにできるだけ近い形で表示できるように、券面データを拡大・縮小する。
（２）デフォルメ画像の表示
端末の画面サイズが小さい場合や、端末の表示解像度が粗い場合には、券面の代わりに、カードによるサービスを提供するサービス会社のブランドマーク等、簡略なデフォルメ画像を表示する。
（３）音声情報の提示
券面イメージ、あるいは、デフォルメ画像の表示と併せて、カードによるサービスを提供するサービス会社の象徴的なサウンドを再生する。
（４）二段階表示
券面データは、セキュアに守られており、また、画像データ故にデータ量が多く、そのために、読み出しに時間が掛かる。そこで、券面データに比べてデータサイズが小さく、セキュアに守る必要がないブランドマーク等のデフォルメ画像をまず表示し、一定時間後、次の券面データの表示指示が無ければ、当該券面データをセキュアな領域から読み出して表示する。
【００４７】
図１０は、（１）券面データの加工、（２）デフォルメ画像の表示、（３）音声情報の提示、を行う端末６０と、セキュアデバイス１０との構成を示している。
セキュアデバイス１０は、複数のＩＣカードアプリを格納したカードアプリ格納手段３７と、券面データを格納した券面データ格納手段３６と、サウンドデータを格納したサウンドデータ格納手段４０と、ブランドマークなどのデフォルメデータを格納したデフォルメデータ格納手段４１とを備えており、カードアプリ格納手段３７に格納された各ＩＣカードアプリは、自らのカード機能に関連する券面データ、サウンドデータ及びデフォルメデータの所在を管理している。
【００４８】
一方、端末６０は、前述した、表示指示受付手段６２、表示手段６１、セキュアデバイス管理手段３５、券面データ読み出し手段６４、制御手段６３の他に、表示手段６１に表示する表示データを選択する表示データ選択手段７３と、表示手段６１の画面サイズや解像度の情報を格納した表示手段情報格納手段７２と、表示手段６１に表示する表示データを加工する表示データ拡大縮小変更手段７１と、セキュアデバイス１０からサウンドデータを読み出すサウンドデータ読み出し手段６９と、セキュアデバイス１０からデフォルメデータを読み出すデフォルメデータ読み出し手段７０とを備えている。
【００４９】
この端末６０では、表示指示受付手段６２が表示指示を受け付けると、制御手段６３は、表示データ選択手段７３に表示データの選択を指示する。
表示データ選択手段７３は、券面の実物大の大きさ（規定値）と端末６０の表示手段６１の画面サイズとを比較し、既定値に対する画面サイズの割合が閾値より小さく、且つ、表示手段６１の表示解像度が所定値より小さい場合には、デフォルメデータ、及び／または、サウンドデータを表示データに選択し、その他の場合には、券面データを表示データに選択する。
【００５０】
制御手段６３は、表示データ選択手段７３が選択したデータの読み出しを、券面データ読み出し手段６４、サウンドデータ読み出し手段６９、及び、デフォルメデータ読み出し手段７０に指示し、各読み出し手段は、セキュアデバイス管理手段６５を介してセキュアデバイス１０から、券面データ、サウンドデータ、または、デフォルメデータを読み出す。これらのデータをセキュアデバイス１０から読み出す際の手順は、第２の実施形態等で説明したものと同じである。
制御手段６３は、読み出されたデフォルメデータ及びサウンドデータを表示手段６１に送り、表示手段６１はデフォルメ画像を表示し、サウンドを再生する。
【００５１】
また、制御手段６３は、読み出された券面データを表示データ拡大縮小変更手段７１に送り、表示データ拡大縮小変更手段７１は、表示手段６１の表示解像度に合わせて、券面データの間引き、または、補間を行い、表示手段６１の画面上で券面が実物の大きさにできるだけ近い形で表示できるように、券面データを拡大・縮小する。
制御手段６３は、加工された券面データを表示手段６１に送り、表示手段６１は、それを用いて券面イメージを表示する。
こうした処理により、端末６０の画面が小さい場合でも、ユーザは、画面での表示やサウンドから、セキュアデバイス１０に格納されたカード機能を直感的に把握することができる。
【００５２】
また、図１１は、（４）二段階表示、を行う端末６０と、セキュアデバイス１０との構成を示している。セキュアデバイス１０は、秘匿領域にカードアプリ格納手段３７と券面データ格納手段３６とを有し、非秘匿領域に、ブランドマークなどのデフォルメデータを格納したデフォルメデータ格納手段４１を有している。
端末６０は、セキュアデバイス１０のデフォルメデータ格納手段４１からデフォルメデータを読み出すデフォルメデータ読み出し手段７０と、表示手段６１の表示時間を監視するタイマ監視手段７４を有している。その他の構成は、図４と変わりがない。
このセキュアデバイス１０は、券面データを秘匿領域に格納してセキュアに保護しており、券面データの読み出しには、認証が条件となる。一方、ブランドマークなどのデフォルメデータは、非秘匿領域に格納しており、その読み出しには、認証を必要としない。
【００５３】
セキュアデバイス１０の所有者は、携帯端末６０のキーを操作してＰＩＮを入力した後、携帯端末６０を振ったり、携帯端末６０のキーを操作したりして、券面イメージの表示を指示する。これを検知した表示指示受付手段６２は、制御手段６３に券面イメージの表示指示を伝え、制御手段６３は、これを受けて、デフォルメデータ読み出し手段７０にデフォルメデータの読み出しを指示する。
デフォルメデータ読み出し手段７０は、セキュアデバイス１０のデフォルメデータ格納手段４１から最初のデフォルメデータを読み出す。制御手段６３は、読み出されたデフォルメデータを表示手段６１に送り、表示手段６１は、デフォルメ画像を表示する。タイマ監視手段７４は、デフォルメ画像の表示開始からの時間を計測し、所定時間が経過するとその旨を制御手段６３に伝える。制御手段６３は、表示指示受付手段６２が次の表示指示を受け付けていない場合、券面データ読み出し手段６４に券面データの読み出しを指示する。
【００５４】
券面データ読み出し手段６４は、セキュアデバイス管理手段６５を介して、券面データの読み出し要求コマンドをセキュアデバイス１０に送り、セキュアデバイス管理手段６５は、ＰＩＮによる本人確認が成功した場合に、そのコマンドをセキュアデバイス１０のカードアプリ格納手段３７に送る。こうして、デフォルメデータに関連する券面データがセキュアデバイス１０から読み出され、表示手段６１に券面イメージが表示される。
こうした処理により、端末６０の画面には、表示指示に応じて直ぐにデフォルメ画像が表示され、一定時間が経過すると、券面イメージの表示に変わる。そのため、読み出しに時間を要する券面イメージが表示されるまでの間を、デフォルメ画像を表示して繋ぐことができる。
なお、ここでは、セキュアデバイスがＩＣカードアプリを具備する場合について説明したが、セキュアデバイスがＤＦ及びＥＦのファイル構造を有する場合でも同じように適用することができる。
【００５５】
（第５の実施形態）
本発明の第５の実施形態では、券面データの表示開始を早めるための改良について説明する。
セキュアデバイスから券面データを読み出すまでに時間が掛かるため、事前に、券面データを端末内の通常メモリや外部メモリにコピーして、それを表示に使用する。ただし、この場合、セキュアデバイスから読み出した券面データは、書き換えられる可能性があるため、定期的に繰り返しコピーして上書きする。
【００５６】
図１２は、端末内の通常メモリに券面データをコピーする場合の構成について示している。
端末６０は、セキュアデバイス１０から全ての券面データを読み出し、それを定期的に更新する券面データ読出・更新手段７６と、券面データ読出・更新手段７６が読み出した券面データを格納する券面データ内部格納手段７５とを備えている。その他の構成は、図４と変わりがない。
【００５７】
セキュアデバイス１０の所有者が端末６０のキーを操作してＰＩＮを入力すると、起動した券面データ読出・更新手段７６は、セキュアデバイス管理手段６５を介して、セキュアデバイス１０に全ての券面データの読み出しを要求する。セキュアデバイス管理手段６５は、ＰＩＮによる本人確認が成功した場合に、その要求をセキュアデバイス１０に伝え、この要求に従ってセキュアデバイス１０から送られて来た全ての券面データを券面データ内部格納手段７５に格納する。券面データ読出・更新手段７６は、セキュアデバイス１０の全ての券面データを対象とする読み出し要求を一定期間毎に繰り返し、券面データ内部格納手段７５に格納された券面データを定期的に更新する。
【００５８】
セキュアデバイス１０の所有者が端末６０を振ったり、端末６０のキーを操作したりして、券面イメージの表示を指示すると、これを検知した表示指示受付手段６２が制御手段６３に券面イメージの表示指示を伝え、制御手段６３は、券面データ読み出し手段６４に券面データの読み出しを指示する。券面データ読み出し手段６４は、券面データ内部格納手段７５に格納された券面データを読み出し、それが表示手段６１に送られて券面イメージが表示される。
【００５９】
また、図１３は、券面データ読出・更新手段７６がセキュアデバイス１０から読み出した全ての券面データを外部メモリ５０の券面データ格納手段５１に格納する場合を示している。券面データ読出・更新手段７６の動作、及び、表示指示に対応する表示動作は、図１２の場合と同様である。
こうした構成により、表示指示の動作から券面イメージの表示までの時間を短縮することができる。
【００６０】
（第６の実施形態）
本発明の第６の実施形態では、券面データの表示動作をユーザのアクションに連動させるための改良について説明する。
例えば、ユーザのアクションと券面データの表示動作とを、次のような形で連動させることができる。
（１）携帯電話である端末が待ち受け状態の場合にだけ、端末を振る動作で券面イメージの表示及び表示切替えが可能になる。
（２）携帯電話を横に振ると券面イメージの表示が切り替わり、縦に振ると携帯電話が待ち受け状態に戻る。
（３）いずれかのボタンまたは専用ボタンを押下しながら、携帯電話を横に振ると、券面イメージの表示及び表示切替えが可能になる。
（４）携帯電話を横に振ると、券面イメージの表示及び表示切替えが可能になり、一定時間が過ぎると券面表示前の状態に復帰する。
【００６１】
図１４は、（１）の表示動作を行う携帯電話の構成を示している。この端末６０は、待ち受け状態を管理する待ち受け状態管理手段７７と、表示指示受付手段としての加速度センサ７８とを備えている。その他の構成は、図４と変わりがない。
加速度センサ７８は、端末６０が横に振られた時に、それを検知して制御手段６３に伝える。一方、待ち受け状態管理手段７７は、端末６０が待ち受け状態であるときに、その旨を制御手段６３に伝える。制御手段６３は、端末６０が待ち受け状態のときに、加速度センサ７８が“横の振り”を検知した場合は、券面イメージの表示指示と受け止めて、券面データ読み出し手段６４に券面データの読み出しを指示する。一方、端末６０が待ち受け状態で無いときに、加速度センサ７８が“横の振り”を検知しても、それを無視する。
また、端末６０が待ち受け状態のとき、制御手段６３は、加速度センサ７８が“横の振り”を検知するごとに、表示する券面イメージを更新する。あるいは、加速度センサ７８が“横の振り”を一度検知すると、制御手段６３は、全ての券面イメージを順番に表示するように、券面データ読み出し手段６４の読み出しを制御し、券面イメージの表示が一巡すると、待ち受け状態管理手段７７に対して待ち受け状態に戻るように指示する。
【００６２】
図１５は、（２）の表示動作を行う携帯電話の構成を示している。この端末６０は、横の振りを検知する第１加速度センサ７８１と、縦の振りを検知する第２加速度センサ７８２とを備えている。その他の構成は、図１４と変わりがない。
制御手段６３は、第１加速度センサ７８１が“横の振り”を検知すると、待ち受け状態管理手段７７の状態表示に関わらず、券面イメージの表示指示と受け止めて、券面データ読み出し手段６４に券面データの読み出しを指示する。一方、第２加速度センサ７８２が“縦の振り”を検知したときは、待ち受け状態管理手段７７に、待ち受け状態への移行を指示する。
【００６３】
図１６は、（３）の表示動作を行う携帯電話の構成を示している。この端末６０は、待ち受け状態管理手段に代えて、ボタンの押下を監視するボタン状態監視手段７９を備えている。その他の構成は、図１４と変わりがない。
ボタン状態監視手段７９は、端末６０のボタンが押されているとき、その旨を制御手段６３に伝える。制御手段６３は、ボタンが押されているときに、加速度センサ７８が“横の振り”を検知した場合は、券面イメージの表示指示と受け止めて、券面データ読み出し手段６４に券面データの読み出しを指示する。一方、ボタンが押されていないときに、加速度センサ７８が“横の振り”を検知しても、それを無視する。
【００６４】
図１７は、（４）の表示動作を行う携帯電話の構成を示している。この端末６０は、加速度センサ７８が“横の振り”を検知した時刻からの経過時間を監視するタイマ監視手段８０を備えており、一定時間が経過すると、元の待ち受け状態に戻る。その他の構成は、図１４と変わりがない。
制御手段６３は、加速度センサ７８が“横の振り”を検知すると、待ち受け状態管理手段７７の状態表示に関わらず、券面イメージの表示指示と受け止めて、券面データ読み出し手段６４に券面データの読み出しを指示する。タイマ監視手段８０は、加速度センサ７８が“横の振り”を検知した時刻からの経過時間をカウントし、一定時間が経過する前に、加速度センサ７８が“横の振り”を再度検知した場合は、それまでの計測時間をリセットし、改めて経過時間をカウントし直す。タイマ監視手段８０は、この経過時間が一定時間に達したときは、その旨を制御手段６３に伝え、制御手段６３は、待ち受け状態管理手段７７に、元の状態に戻るように指示する。
【００６５】
なお、ここでは、一定時間経過後に、元の待ち受け状態に戻る場合について説明したが、券面データを表示させる前の状態が電話帳表示や受信メール表示などであれば、同様に、制御手段６３の指示で、一定時間経過後に、それらの続きの処理画面に戻るようにすることができる。
このように、ユーザのアクションと、券面データの表示動作とを連動させることにより、ユーザは、券面データの表示を片手で、簡単に操作することが可能になる。
【００６６】
（第７の実施形態）
本発明の第７の実施形態では、セキュアデバイスへの電源供給方法の改良について説明する。
図１８は、セキュアデバイス１０に電源を供給する電源供給手段８１を備えた端末６０の構成を示している。その他の構成は、図１４と変わりがない。
この端末６０の加速度センサ７８は、ユーザのアクションを検知すると制御手段６３に伝え、制御手段６３は、電源供給手段８１に、セキュアデバイス１０への電源供給を指示し、電源供給手段８１は、セキュアデバイス１０に電源供給を開始する。制御手段６３は、また、券面データ読み出し手段６４に券面データの読み出しを指示する。
こうして、セキュアデバイス１０に対し、ユーザのアクションを契機に電源が供給され、それ以降、セキュアデバイス１０は、この電源を用いて、接触通信、非接触通信によるカード処理を実行する。
このように、アクションが発生した時点でセキュアデバイスへの電源供給を始めることで、電力消費の削減が可能になる。
なお、ここでは、端末６０からセキュアデバイス１０に電源を供給する場合について説明したが、第１の実施形態で示した、セキュアデバイス自身が電源を保持する場合にも、この技術は適用できる。
【産業上の利用可能性】
【００６７】
本発明の情報記憶装置は、単体として使用したり、あるいは、端末に装着したり、チップ状のものを端末に埋め込んで使用したりする、ＩＣカードや各種のセキュアデバイス等の情報記憶装置に広く適用することができ、また、本発明の情報処理装置は、この情報記憶装置を装着したり、埋め込んだりする携帯電話やＰＨＳ（Personal Handy-phone System）、ＰＤＡ（携帯情報端末）、パーソナルコンピュータ等の情報処理装置、あるいは、情報記憶装置に対して、接触通信または非接触通信を通じて、カード機能による処理を行わせるＰＯＳ端末、クレジット端末、改札機等の各種の情報処理端末に広く適用することができる。
【図面の簡単な説明】
【００６８】
【図１】本発明の第１の実施形態における情報記憶装置での券面イメージの表示形態を模式的に示す図
【図２】本発明の第１の実施形態における情報記憶装置の構成を示すブロック図
【図３】本発明の第１の実施形態における情報記憶装置の他の構成を示すブロック図
【図４】本発明の第２の実施形態における情報処理装置及び情報記憶装置の構成を示すブロック図
【図５】本発明の第２の実施形態における情報処理装置及び情報記憶装置の他の構成を示すブロック図
【図６】本発明の第３の実施形態における券面及び裏面を表示する情報処理装置と情報記憶装置との構成を示すブロック図
【図７】本発明の第３の実施形態における券面及び裏面を表示する情報処理装置と情報記憶装置との他の構成を示すブロック図
【図８】本発明の第３の実施形態における券面及び裏面を別個に表示する情報処理装置と情報記憶装置との構成を示すブロック図
【図９】本発明の第３の実施形態における券面及び裏面を別個に表示する情報処理装置と情報記憶装置との他の構成を示すブロック図
【図１０】本発明の第４の実施形態におけるカード機能を分かり易く表示する情報処理装置と情報記憶装置との構成を示すブロック図
【図１１】本発明の第４の実施形態における二段階表示を行う情報処理装置と情報記憶装置との構成を示すブロック図
【図１２】本発明の第５の実施形態における券面イメージを迅速表示する情報処理装置と情報記憶装置との構成を示すブロック図
【図１３】本発明の第５の実施形態における券面イメージを迅速表示する情報処理装置と情報記憶装置との他の構成を示すブロック図
【図１４】本発明の第６の実施形態における第１のアクションに連動して券面イメージを表示する情報処理装置と情報記憶装置との構成を示すブロック図
【図１５】本発明の第６の実施形態における第２のアクションに連動して券面イメージを表示する情報処理装置と情報記憶装置との構成を示すブロック図
【図１６】本発明の第６の実施形態における第３のアクションに連動して券面イメージを表示する情報処理装置と情報記憶装置との構成を示すブロック図
【図１７】本発明の第６の実施形態における第４のアクションに連動して券面イメージを表示する情報処理装置と情報記憶装置との構成を示すブロック図
【図１８】本発明の第７の実施形態における情報処理装置と情報記憶装置との構成を示すブロック図
【図１９】マルチアプリＩＣカードのカードメニューを説明する図
【符号の説明】
【００６９】
１０    セキュアデバイス
１１    表示画面
２１    券面
２２    券面
３０    データ格納パス管理手段
３１    表示手段
３２    表示指示受付手段
３３    制御手段
３４    券面データ読み出し手段
３５    セキュアデバイス管理手段
３６    券面データ格納手段
３７    カードアプリ格納手段
３８    カード磁気情報格納手段
３９    裏面データ格納手段
４０    サウンドデータ格納手段
４１    デフォルメデータ格納手段
５０    外部メモリ
５１    券面データ格納手段
６０    端末
６１    表示手段
６２    表示指示受付手段
６３    制御手段
６４    券面データ読み出し手段
６５    セキュアデバイス管理手段
６６    データ格納パス管理手段
６７    裏面データ読み出し手段
６８    裏面データ表示手段
６９    サウンドデータ読み出し手段
７０    デフォルメデータ読み出し手段
７１    表示データ拡大縮小変更手段
７２    表示手段情報格納手段
７３    表示データ選択手段
７４    タイマ監視手段
７５    券面データ内部格納手段
７６    券面データ読み出し・更新手段
７７    待ち受け状態管理手段
７８    加速度センサ
７９    ボタン状態監視手段
８０    タイマ監視手段
８１    電源供給手段
３６１  券面データ
３７１  ＩＣカードアプリ
３８１  カード磁気情報
３９１  裏面データ
７８１  第１加速度センサ
７８２  第２加速度センサ
【図１】
2005099908.tif 000003
【図２】
2005099908.tif 000004
【図３】
2005099908.tif 000005
【図４】
2005099908.tif 000006
【図５】
2005099908.tif 000007
【図６】
2005099908.tif 000008
【図７】
2005099908.tif 000009
【図８】
2005099908.tif 000010
【図９】
2005099908.tif 000011
【図１０】
2005099908.tif 000012
【図１１】
2005099908.tif 000013
【図１２】
2005099908.tif 000014
【図１３】
2005099908.tif 000015
【図１４】
2005099908.tif 000016
【図１５】
2005099908.tif 000017
【図１６】
2005099908.tif 000018
【図１７】
2005099908.tif 000019
【図１８】
2005099908.tif 000020
【図１９】
2005099908.tif 000021